(57)【要約】【課題】信頼性の高い計測動作を可能にするとともに、各種の異常発生に対して、その復旧作業、並びに保守点検作業等を円滑かつ迅速に行うことのできる、通信機能付電子式メーターの接続端子を有する遠隔式表示装置を提供する。【解決手段】隔測表示器１に設けられた制御部１１は、メーター接続端子（Ｃ・ＩＦ−Ａ）１５に、メーター２に代わり、管理用情報処理機器３が接続されたとき、「磁石操作１」の指示操作で、隔測表示器１内で記憶し管理している最新の指針値情報を含む最大６０日分の指針値情報を、メーター接続端子（Ｃ・ＩＦ−Ａ）１５に接続した管理用情報処理機器３に自動送信する。【選択図】      図１
2008243068.tif 000002
【特許請求の範囲】
【請求項１】
通信機能付電子式メーターの接続端子および前記通信機能付電子式メーターの指針値情報を表示可能な表示手段を具備する遠隔式表示装置であって、
前記指針値情報を一定量保存可能な不揮発性の記憶領域を有する記憶手段と、
前記接続端子を介して前記通信機能付電子式メーターから情報を取得する通信手段と、
前記通信手段が取得した情報を前記記憶手段に一定期間にわたり蓄積し履歴情報として管理する記憶制御手段と、
前記接続端子に接続された通信制御対象が前記通信機能付電子式メーターであるか特定の機器であるかを判定する判定手段と、
前記判定手段が、前記接続端子に接続された制御対象が前記特定の機器であることを判定したとき、前記接続端子を介して前記特定機器との間で通信を行い、前記記憶手段に蓄積した履歴情報を前記特定の機器に送出する履歴情報送出手段と、
を具備したことを特徴とする遠隔式表示装置。
【請求項２】
特定の操作を検出する検出手段と、
前記検出手段が前記特定の操作を検出したとき、前記記憶手段に蓄積した履歴情報を一定の順序で順次前記表示手段に表示する表示制御手段と、
をさらに具備したことを特徴とする請求項１に記載の遠隔式表示装置。
【請求項３】
前記記憶手段に蓄積された情報を参照して、前記接続端子に入力された指針値情報が異常であるか否かを判定する異常判定手段と、
前記異常値判定手段が異常を判定したとき、当該異常値若しくは異常発生情報を、前記表示手段に表示し、若しくは外部機器に通知し、若しくは前記表示手段に表示するとともに前記外部機器に通知する異常報知手段と、
をさらに具備したことを特徴とする請求項１または２に記載の遠隔式表示装置。
【請求項４】
前記異常値若しくは異常発生情報を前記記憶手段に格納する異常情報処理手段をさらに具備したことを特徴とする請求項３記載の遠隔式表示装置。
【請求項５】
前記記憶制御手段は、前記通信手段が前記通信機能付電子式メーターと通信を行う都度、若しくは前記通信手段が前記通信機能付電子式メーターと一定回数の通信を行う都度、若しくは一定時間毎に、前記前記通信手段が取得した情報を前記記憶手段に蓄積することを特徴とする請求項１に記載の遠隔式表示装置。
【請求項６】
外部機器との間で通信を行う外部機器接続インターフェイス手段をさらに具備し、
前記履歴情報送出手段は、前記外部機器接続インターフェイス手段を介して前記外部機器から特定の情報取得要求を受けたとき、前記記憶手段に蓄積した履歴情報を前記外部機器接続インターフェイス手段を介して前記外部機器に送出することを特徴とする請求項１に記載の遠隔式表示装置。
【請求項７】
前記通信手段は、前記通信機能付電子式メーターとの間で通信を行わない期間において、前記通信機能付電子式メーターから出力されるパルス信号を前記接続端子を介して受信し、前記通信機能付電子式メーターと同様に積算動作を行うことを特徴とする請求項１に記載の遠隔式表示装置。
【請求項８】
前記接続端子は、前記通信機能付電子式メーターから出力されるパルス信号の伝送路を接続する接続部と、前記通信機能付電子式メーターとの間で通信を行う通信インターフェイスとなる接続部とを具備したことを特徴とする請求項７に記載の遠隔式表示装置。
【発明の詳細な説明】
【技術分野】
【０００１】
本発明は、通信機能付電子式メーターの接続端子および前記通信機能付電子式メーターの指針値情報を表示可能な表示手段を具備する遠隔式表示装置に関する。
【背景技術】
【０００２】
遠隔式表示装置（以下、隔測表示器と称す）は、通信機能付電子式メーター（以下、単にメーターと称す）の指針値を、メーターから離間した環境下で容易に視認可能な表示機能を提供している。
【０００３】
隔測表示器には、ＬＣＤやＬＥＤ等の表示デバイスが設けられるとともに、メーターに接続する接続端子が設けられ、この接続端子を介してメーターから出力されるパルス信号の伝送路、およびメーターとの間の通信路が形成される。
【０００４】
隔測表示器は、メーターとの通信により一定の間隔でメーターから指針値等の情報を取得し、当該取得情報の内容を上記表示デバイス上に表示する。また通信を行っていない場合は、メーターと同様に積算動作を行う。
【０００５】
さら隔測表示器は、磁石棒により操作される操作部を有し、この操作部に磁石棒をあてることにより、メーターに搭載している機能、各種警告等の表示を可能にしている。また、ＮＣＵ（網制御装置）等を接続するための通信インターフェイスを構成する接続端子（自動検針用端子）を有している。
【０００６】
この種、隔測表示器の関連技術として、従来では、通信ラインの切替手段を備えた通信機能付きメーター（特許文献１参照）、過去のアラーム表示を可能にした遠隔カウンタ受信器（特許文献２参照）等が存在する。
【特許文献１】特開平７−１９０８３１号公報
【特許文献２】特開２００５−２６７０２０号公報
【発明の開示】
【発明が解決しようとする課題】
【０００７】
上述した従来の隔測表示器においては、例えばメーターが故障して通信ができなくなった場合に、メーターの指針値を表示デバイス上で確認することができないという問題があった。また、故障の内容によっては指針値が大幅に書き替わったり、正常に積算しなくなる等の不具合が想定され、この不具合の発生に対して、発生日時の特定、分析等ができないという問題があった。
【０００８】
本発明は上記実情に鑑みなされたもので、通信機能付電子式メーターの接続端子および前記通信機能付電子式メーターの指針値情報を表示可能な表示手段を具備する遠隔式表示装置において、信頼性の高い計測動作を可能にするとともに、各種の異常発生に対して、その復旧作業、並びに保守点検作業等を円滑かつ迅速に行うことのできる遠隔式表示装置を提供することを目的とする。
【課題を解決するための手段】
【０００９】
本発明は、通信機能付電子式メーターの接続端子および前記通信機能付電子式メーターの指針値情報を表示可能な表示手段を具備する遠隔式表示装置であって、前記指針値情報を一定量保存可能な不揮発性の記憶領域を有する記憶手段と、前記接続端子を介して前記通信機能付電子式メーターから情報を取得する通信手段と、前記通信手段が取得した情報を前記記憶手段に一定期間にわたり蓄積し履歴情報として管理する記憶制御手段と、前記接続端子に接続された通信制御対象が前記通信機能付電子式メーターであるか特定の機器であるかを判定する判定手段と、前記判定手段が、前記接続端子に接続された制御対象が前記特定の機器であることを判定したとき、前記接続端子を介して前記特定機器との間で通信を行い、前記記憶手段に蓄積した履歴情報を前記特定の機器に送出する履歴情報送出手段とを具備したことを特徴とする。
【００１０】
また、前記遠隔式表示装置において、特定の操作を検出する検出手段と、前記検出手段が前記特定の操作を検出したとき、前記記憶手段に蓄積した履歴情報を一定の順序で順次前記表示手段に表示する表示制御手段とをさらに具備したことを特徴とする。
【００１１】
また、前記遠隔式表示装置において、前記記憶手段に蓄積された情報を参照して、前記接続端子に入力された指針値情報が異常であるか否かを判定する異常判定手段と、前記異常値判定手段が異常を判定したとき、当該異常値若しくは異常発生情報を、前記表示手段に表示し、若しくは外部機器に通知し、若しくは前記表示手段に表示するとともに前記外部機器に通知する異常報知手段とをさらに具備したことを特徴とする。
【発明の効果】
【００１２】
信頼性の高い計測動作を可能にするとともに、各種の異常発生に対して、復旧作業並びに保守点検作業等を円滑かつ迅速に行うことができる。
【発明を実施するための最良の形態】
【００１３】
本発明に係る遠隔式表示装置は、制御対象として接続されている通信機能付電子式メーターの指針値が急に書き替わってしまったり、または読みとれなかった場合等の不具合発生に備え、遠隔式表示装置に、メーターから取得したデータを一定量保持し、当該保持したデータを操作者等に履歴データとして提供する機能を設けている。具体例を挙げると、約１日毎のメーターの指針値情報を最新の情報を優先して一定量、例えば６０日分、不揮発性のメモリに記録して、常時、蓄積しておく機能と、上記メモリに蓄積したデータ（指針値情報の履歴データ）を、磁石操作等によって、メーターの表示デバイスに「自動送り表示」したり、メーター接続端子に管理用パーソナルコンピュータ（ＰＣ）等の特定機器を接続して上記メモリから読み出した履歴データを接続機器に送出する機能を実現している。
【００１４】
以下図面を参照して本発明の実施形態を説明する。  
本発明の実施形態に係る遠隔式表示装置の構成を図１に示す。本発明の実施形態に係る遠隔式表示装置（以下、隔測表示器と称す）１は、通信機能付電子式メーター（以下、単にメーターと称す）２の指針値を表示する。メーターとの通信により一定間隔（例えば１時間単位）でメーター２から指針値等の情報を取得し表示する。上記通信を行っていない場合は、メーター２から送出されたパルス信号を受けて、メーター２と同様に積算動作を行う。隔測表示器１の操作者が隔測表示器１に設けられた操作部に磁石棒をあてると、メーター２に搭載している機能のデータを表示するとともに、各種警告を併せて表示する。警告が表示されている場合には、磁石操作によりメーター２の警告をリセットすることもできる。また、メーター２の警告とは別に、隔測表示器１に搭載している動作用電源となる電池の電源容量が少なくなると「遠隔式表示装置電池電圧低下警告」を表示する。
【００１５】
さらに上記隔測表示器１は、上記したように、メーター２から取得したデータを一定量保持する機能を有し、メーター２との通信毎（若しくは一定通信回数毎、若しくは一定時間毎）に、メーター２の指針値（随時検針値）情報を一定量保持する。メーター２から取得した指針値情報を記憶部に履歴データとして格納する処理において、取得した指針値情報を記憶部に蓄積された前回の履歴データ（指針値情報）および予め設定した判定条件情報をもとに、今回取得した指針値情報が明らかに異常値を示しているか否かを判断し、異常値を示していると判断したとき、予め登録してある管理者（自動検針用センター）の電話番号に「異常」を通報する。
【００１６】
上記保持した指針値情報や異常通報の履歴を、メーター２を接続するためのメーター接続端子（若しくは自動検針用端子若しくは遠隔式表示装置データ通信用インターフェイス）から通信により取得することができる。この際は上記メーター接続端子の通信ポート（通信インターフェイス部）に、メーター２に代わり、パーソナルコンピュータ（ＰＣ）を用いた管理用情報処理機器３を接続することによって、隔測表示器１の制御部１１がメーター接続端子に接続した管理用情報処理機器３と通信を行い、記憶部１２に履歴データとして保持した指針値情報や異常通報を上記接続機器に送出する。また、上記保持した指針値情報や異常通報の内容を、例えば磁石操作で、自装置の表示デバイスに「自動送り表示」することができる。
【００１７】
このように、隔測表示器１は、・メーター２と通信する機能、・通信で取得したデータを表示する機能、・メーター２の警告をリセットする機能、・ＮＣＵ等を接続するための自動検針用端子機能、通信毎（若しくは一定通信回数毎、若しくは一定時間毎）の指針値データ保持する機能、・故障診断並びに通報する機能、・保持した指針値情報や異常通報内容の表示する機能、保持した指針値情報や異常通報を通信により送出する機能等を有する。
【００１８】
このような機能をもつことで、メーター２の指針値情報や異常通報内容を任意に取得して確認することができるため、メーター２にトラブルが発生した場合等において、トラブル解決に有用な情報として参考にすることができる。また、異常通報により迅速な対応がとれる。また、メーター２の指針値情報や異常通報内容を、隔測表示器１の表示器にて表示可能であることから、専用のツールを必要とせずに容易に詳細な内容確認ができる。また、専用ツールを使用することによって、メーター２の指針値情報や異常通報内容をパーソナルコンピュータ（ＰＣ）に取り込み、当該コンピュータのグラフ機能によりデータ加工することができる。
【００１９】
上記した機能をもつ隔測表示器１は、図１に示すように、制御部（プログラム処理機能部）１１と不揮発性メモリ領域を有する記憶部１２とを構成要素にもつＭＰＵ（マイクロプロセッサユニット）１０と、複数桁の表示機能をもつ表示部１３と、磁石棒により操作される磁石操作インターフェイス部（ＭＤ・ＩＦ）１４と、メーター接続端子（Ｃ・ＩＦ−Ａ）１５と、自動検針用端子（Ｃ・ＩＦ−Ｂ）１６と、外部機器通信接続端子（Ｃ・ＩＦ−Ｃ）１７とを有して構成される。
【００２０】
制御部１１は、隔測表示器１全体の制御を司るもので、メーター接続端子（Ｃ・ＩＦ−Ａ）１５に接続されたメーター２を制御対象に、記憶部１２に格納されたプログラムに従う処理により上記各機能を実現する。制御部１１は、記憶部１２に格納されたプログラムに従い、メーター接続端子（Ｃ・ＩＦ−Ａ）１５を介してメーター２から情報を取得する通信手段と、通信で取得した情報を記憶部１２に一定期間にわたり蓄積し履歴情報として管理する記憶制御手段と、メーター接続端子１５に接続された通信制御対象がメーター２であるか特定の機器である管理用情報処理機器（ＰＣ）３であるかを判定する判定手段と、メーター接続端子１５に接続された制御対象が管理用情報処理機器３であることを判定したとき、メーター接続端子１５を介して管理用情報処理機器３との間で通信を行い、記憶部１２に蓄積した履歴情報を管理用情報処理機器３に送出する履歴情報送出手段と、特定の操作（磁石棒操作）を検出する検出手段と、磁石棒操作を検出したとき、記憶部１２に蓄積した履歴情報を一定の順序で順次表示部１３に表示する表示制御手段と、記憶部１２に蓄積された情報を参照して、メーター接続端子１５に入力された指針値情報が異常であるか否かを判定する異常判定手段と、異常を判定したとき、当該異常値若しくは異常発生情報を、表示部１３に表示し、若しくは外部の機器（自動検針用センター）に通知する異常報知手段とを実現する。この各処理動作については図２乃至図５に示すフローチャートおよび図６、図７に示すシーケンス図を参照して後述する。
【００２１】
記憶部１２は、制御部１１が実行するプログラムおよび当該プログラムで参照する異常判定のための判定条件情報等を格納する記憶領域（Ａ１）と、制御部１１の処理により取得した指針値情報や異常通報内容を格納する記憶領域（Ａ２，Ａ３）と、制御部１１の処理に供される一時記憶領域とを有して構成される。なお、記憶領域（Ａ１，Ａ２，Ａ３）は書き換え可能な不揮発性の記憶領域である。これら記憶領域のうち、記憶領域（Ａ２）には、制御部１１の制御の下に、メーター２から取得した指針値情報が例えば６０日分を限度に日付順（取得順）に蓄積され、履歴情報として読み出される。６０日分の指針値情報が格納された後は、メーター２から取得した新たな指針値が、最も古い指針値情報の格納位置に上書きされる。また記憶領域（Ａ３）には、制御部１１の制御の下に、異常通報内容が蓄積される。
【００２２】
表示部１３は、例えばＬＣＤやＬＥＤ等の電子式表示デバイスにより構成され、制御部１１の制御の下に、所定桁数の指針値情報や異常通報の内容等を表示する。
【００２３】
磁石操作インターフェイス部（ＭＤ・ＩＦ）１４は、磁石棒により操作される操作部を構成するもので、操作部近傍における磁石棒の操作に伴う指示情報を制御部１１に通知する。ここでは２種の操作指示（磁石操作１，２）を可能にしている。
【００２４】
メーター接続端子（Ｃ・ＩＦ−Ａ）１５は、メーター２から出力されるパルス信号の伝送路（２線）を接続するパルス接続部と、メーター２との間に形成される通信路（２線）を接続する通信インターフェイス部（通信ポート）とを具備して、メーター２から受けたパルス信号を制御部１１に送出するとともに、メーター２との間で、所定の伝送フォーマットによる通信（図６および図７に示すシーケンス参照）を可能にしている。本実施形態では、このメーター接続端子（Ｃ・ＩＦ−Ａ）１５の通信インターフェイス部に、メーター２に代わり、管理用情報処理機器（ＰＣ）３を制御対象として接続することによって、メーター接続の場合と同様に、隔測表示器１を上位側（制御側）、管理用情報処理機器３を下位側（被制御側）として所定の通信を行い、記憶部１２に蓄積された上記履歴情報を、メーター接続端子（Ｃ・ＩＦ−Ａ）１５を介して管理用パーソナルコンピュータ（ＰＣ）３に送出する。
【００２５】
自動検針用端子（Ｃ・ＩＦ−Ｂ）１６は、予め登録された自動検針用センターの電話番号に接続して、自動検針用センターの機器にメーター２の指針値情報や異常通報内容を通報する通信インターフェイスを構成するもので、本実施形態では、自動検針用端子（Ｃ・ＩＦ−Ｂ）１６を介して自動検針用センター側の機器から、上記記憶部１２に蓄積された履歴情報を取得するためのデータ要求を受け付け、このデータ要求に応えて要求元に上記履歴情報を送出する通信インターフェイスを構成している。
【００２６】
外部機器通信接続端子（Ｃ・ＩＦ−Ｃ）１７は、隔測表示器１を制御対象に通信を行う情報処理機器の通信インターフェイスを構成するもので、本実施形態では、接続機器からのデータ要求に応えて、要求元に上記履歴情報を送出する通信インターフェイスを構成している。
【００２７】
図２乃至図５は、それぞれ制御部１１の処理手順を示すフローチャートであり、図６は隔測表示器１の制御部１１とメーター２との間における通信シーケンスを示す図、図７は隔測表示器１の制御部１１と管理用情報処理機器３との間における通信シーケンスを示す図である。
【００２８】
隔測表示器１はメーター２と通信を行わない通常時において、メーター２から送出されたパルスをもとに、メーター２と同様に積算動作を行い、その積算動作に伴う指針値情報を表示部１３に表示する。この処理手順を図２に示している。
【００２９】
隔測表示器１に設けられた制御部１１は、メーター２と通信を行わない通常時において、メーター２から送出されたパルスをメーター接続端子（Ｃ・ＩＦ−Ａ）１５を介して受信し、メーター２と同様に積算動作を行う（ステップＳ１１，Ｓ１２）。
【００３０】
この積算動作による指針値の更新処理において、記憶部１２の記憶領域（Ａ２）に蓄積された前回までの指針値情報および記憶領域（Ａ１）に設定された判定条件情報を参照して、今回積算している指針値の妥当性を判断する（ステップＳ１３）。ここで、今回積算している指針値が、上記記憶領域（Ａ２）に保持された指針値情報に対して異常な値を示しているとき（例えば今回積算している指針値が前回同時期の指針値に対して判定条件情報として設定された最大限界値を超えているとき）、異常であると判断し、その異常状態を表示部１３に表示するとともに自動検針用端子（Ｃ・ＩＦ−Ｂ）１６を介して自動検針用センターに通報する（ステップＳ１４，Ｓ１５）。
【００３１】
また、隔測表示器１は、予め設定された時間毎（例えば１時間毎）に、メーター２と通信を行い、メーター２の指針値情報を記憶部１２の記憶領域（Ａ２）に蓄積する。この処理手順を図３に示し、データ伝送シーケンスを図６に示している。
【００３２】
隔測表示器１に設けられた制御部１１は、設定時間になったとき、メーター接続端子（Ｃ・ＩＦ−Ａ）１５を介し、当該メーター接続端子（Ｃ・ＩＦ−Ａ）１５に接続されたメーター２に対して「起動」電文を送出する（ステップＳ２１）。この「起動」電文に対して、メーター２から「起動応答」電文を受信すると（ステップＳ２２）、当該応答電文が正常な電文（正当な事業体コードを有する所定のデータ伝送フォーマット）であるか否かを判断し（ステップＳ２３）、メーターの事業体コードを有する正常電文であることを判定したとき（ステップＳ２３  Ｙｅｓ）、当該応答電文の指針値情報を記憶部１２の記憶領域（Ａ２）に格納する（ステップＳ２４）。さらに上記記憶領域（Ａ２）に蓄積された前回までの指針値情報および記憶領域（Ａ１）に設定された判定条件情報を参照して、今回取得した指針値情報が異常な値を示しているか否かを判断し（ステップＳ２５，Ｓ２６）、正常な値であると判断したときは（ステップＳ２６  Ｎｏ）、メーター２に対して「終了」電文を送出する（ステップＳ２８）。また、今回の指針値情報が異常な値を示していると判断したときは（ステップＳ２６  Ｙｅｓ）、当該判断内容を示す判断データ（異常通報）を記憶領域（Ａ３）に格納し（ステップＳ２７）、メーター２に対して「終了」電文を送出する（ステップＳ２８）。
【００３３】
このようにして、記憶部１２の記憶領域（Ａ２）には、６０日分を限度に、メーター２の指針値情報が日付および時間順に履歴情報として蓄積される。また、異常発生時においては、その異常通報が記憶領域（Ａ３）に異常履歴として格納される。なお、上記した設定時間は、例えばジャンパー線の配線等、所定のハードウェア手段によって、例えば１５分、３０分、１時間、２時間等、所望の単位時間を設定可能である。
【００３４】
この記憶部１２の記憶領域（Ａ２，Ａ３）に蓄積された履歴情報は、メーター接続端子（Ｃ・ＩＦ−Ａ）１５の通信インターフェイス部に、上記メーター２に代わり、管理用情報処理機器（ＰＣ）３を制御対象として接続することによって、メーター接続の場合と同様に、隔測表示器１を上位側（制御側）、管理用情報処理機器３を下位側（被制御側）とした所定の通信により、メーター接続端子（Ｃ・ＩＦ−Ａ）１５に接続した管理用情報処理機器３に送出される。また、上記履歴情報は、自動検針用端子（Ｃ・ＩＦ−Ｂ）１６を介して自動検針用センター側の機器からデータ要求を行うことによって、若しくは外部機器通信接続端子（Ｃ・ＩＦ−Ｃ）１７を介して当該接続端子に接続した機器からデータ要求を行うことによって取得可能である。
【００３５】
メーター接続端子（Ｃ・ＩＦ−Ａ）１５の通信インターフェイス部に、メーター２に代わり、管理用情報処理機器（ＰＣ）３を制御対象として接続した後、磁石操作インターフェイス部（ＭＤ・ＩＦ）１４により構成される操作部上で、磁石棒により「磁石操作１」の操作指示を行うことによって、メーター接続端子（Ｃ・ＩＦ−Ａ）１５に接続した管理用情報処理機器３に、上記履歴情報が自動送信される。この処理手順を図４に示し、データ伝送シーケンスを図７に示している。
【００３６】
隔測表示器１に設けられた制御部１１は、操作部を構成する磁石操作インターフェイス部（ＭＤ・ＩＦ）１４から、磁石棒の操作による「磁石操作１」の指示情報を受けると、メーター接続端子（Ｃ・ＩＦ−Ａ）１５に接続された制御対象機器（メーター２または管理用情報処理機器３）に対して「起動」電文を送出する（ステップＳ３１）。この「起動」電文に対して「起動応答」電文を受信すると（ステップＳ３２）、当該応答電文が正常な電文であるか否かを判断し（ステップＳ３３）、正常電文であるとき、当該応答電文の事業体コードが、メーターであるか管理用情報処理機器であるかを判定する（ステップＳ３４）。ここで事業体コードがメーターであるときは（ステップＳ３４  Ｙｅｓ）、メーター２に対して内部データを要求し（ステップＳ３５）、メーター内部の保持データ（例えば指針値情報）を受信し（ステップＳ３６）、「終了」電文をメーター２に送出して（ステップＳ３７）、受信したデータをもとに表示部１３の表示内容（メーター２の指針値情報）を更新し（ステップＳ３８）、磁石操作１の処理を終了する。また、上記応答電文の事業体コードが管理用情報処理機器であるときは、メーター接続端子（Ｃ・ＩＦ−Ａ）１５に接続された管理用情報処理機器３に対し、記憶部１２の記憶領域（Ａ２，Ａ３）に蓄積した履歴情報を、伝送可能な所定のデータ量単位で自動送信し（ステップＳ４０）、すべての履歴情報を送信した後、「終了」電文をメーター２に送出して（ステップＳ４１）、磁石操作１の処理を終了する。
【００３７】
このように、メーター接続端子（Ｃ・ＩＦ−Ａ）１５に、メーター２に代わり、管理用情報処理機器３が接続されたとき、「磁石操作１」の指示で、隔測表示器１内で記憶し管理している最新の指針値情報を含む最大６０日分の指針値情報が、メーター接続端子（Ｃ・ＩＦ−Ａ）１５に接続した管理用情報処理機器３に自動送信される。
【００３８】
また、磁石操作インターフェイス部（ＭＤ・ＩＦ）１４により構成される操作部上で、磁石棒により「磁石操作２」の操作指示を行うことによって、記憶部１２の記憶領域（Ａ２）に蓄積された指針値情報の履歴が最新のものから順に表示部１３に、例えば２秒単位で「自動送り表示」される。この処理手順を図５に示している。
【００３９】
隔測表示器１に設けられた制御部１１は、操作部を構成する磁石操作インターフェイス部（ＭＤ・ＩＦ）１４から、磁石棒の操作による「磁石操作２」の指示情報を受けると、記憶部１２の記憶領域（Ａ２，Ａ３）に蓄積した履歴情報を最新のものから、日時順に、２秒間隔で、順次、読出し、表示部１３に、２秒単位で「自動送り表示」する（ステップＳ５１〜Ｓ５６）。
【００４０】
この「自動送り表示」により、操作者は、隔測表示器１の表示部１３上で、メーター２の詳細な動作状況を認識することができ、故障修理やメンテナンスに有用な履歴情報を容易に取得することができる。
【００４１】
上記したように隔測表示器１に、履歴情報の保存管理機能および当該履歴情報の送出機能をもつことで、メーター２の指針値情報や異常通報内容を任意に取得して確認することができることから、メーター２にトラブルが発生した場合等において、トラブル解決に有用な情報として参考にすることができる。また、異常通報により迅速な対応がとれる。また、メーター２の指針値情報や異常通報内容を、隔測表示器１の表示器にて表示可能であることから、専用のツールを必要とせずに容易に詳細な内容確認ができる。また、専用ツールを使用することによって、メーター２の指針値情報や異常通報内容を外部機器通信接続端子（Ｃ・ＩＦ−Ｃ）１７に接続したパーソナルコンピュータ（ＰＣ）にて取得し、当該コンピュータのグラフ機能によりデータ加工することができる。これにより、信頼性の高い計測動作を可能にするとともに、各種の異常発生に対して、復旧作業並びに保守点検作業等を円滑かつ迅速に行うことができる。
【００４２】
なお、本発明は、上記した実施形態の処理手順に限らず、上記した本発明の実施形態における機能を実現できる他の処理手段であってもよい。また、上記した実施形態の機能も上記したものに限らず、例えばメーター２と通信を行っていないときの積算動作の値を単に表示部１３に表示するのみでなく、当該積算動作の値を保持しておき、通信で取得した指針値情報との差分を求めて、その値をもとに異常を判断する機能を付加した処理機能を実現することも可能である。また、異常通報も、上記履歴情報を含めたデータ分析により、単位時間当たりの過大流量値のランク分けして、警告し、当該異常履歴を保持することも可能である。
【図面の簡単な説明】
【００４３】
【図１】本発明の実施形態に係る遠隔式表示装置の構成を示すブロック図。
【図２】上記実施形態に係る遠隔式表示装置の処理手順を示すフローチャート。
【図３】上記実施形態に係る遠隔式表示装置の処理手順を示すフローチャート。
【図４】上記実施形態に係る遠隔式表示装置の処理手順を示すフローチャート。
【図５】上記実施形態に係る遠隔式表示装置の処理手順を示すフローチャート。
【図６】上記実施形態に係る遠隔式表示装置の通信シーケンスを示す図。
【図７】上記実施形態に係る遠隔式表示装置の通信シーケンスを示す図。
【符号の説明】
【００４４】
１…遠隔式表示装置（隔測表示器）、２…通信機能付電子式メーター（メーター）、３…管理用情報処理機器（ＰＣ）、１０…ＭＰＵ、１１…制御部（プログラム処理機能部）、１２…記憶部、１３…表示部、１４…磁石操作インターフェイス部（ＭＤ・ＩＦ）、１５…メーター接続端子（Ｃ・ＩＦ−Ａ）、１６…自動検針用端子（Ｃ・ＩＦ−Ｂ）、１７…外部機器通信接続端子（Ｃ・ＩＦ−Ｃ）。
【図１】
2008243068.tif 000003
【図２】
2008243068.tif 000004
【図３】
2008243068.tif 000005
【図４】
2008243068.tif 000006
【図５】
2008243068.tif 000007
【図６】
2008243068.tif 000008
【図７】
2008243068.tif 000009